(57)【要約】【課題】プロトコル処理の複雑さを軽減し、効率的に通信を行うことができる端末装置、基地局装置、方法、および集積回路に関する技術を提供すること。【解決手段】端末装置であって、上位レイヤからＳＤＡＰ  ＳＤＵ、及び前記ＳＤＡＰ  ＳＤＵが所属するＱｏＳフローの情報を受信する受信部と、ＱｏＳフローと無線ベアラとの対応付けルールを格納する格納部と、を備え、前記ＳＤＡＰ  ＳＤＵが所属するＱｏＳフローと無線ベアラとの対応付けルールが前記格納部に格納されていない場合には、前記ＳＤＡＰ  ＳＤＵをデフォルト無線ベアラに対応付け、前記ＳＤＡＰ  ＳＤＵが所属するＱｏＳフローと前記デフォルト無線ベアラとの対応付けを、ＱｏＳフローと無線ベアラとの対応付けルールとして前記格納部に格納する処理を行う処理部と、を備える、端末装置。【選択図】図６
2019220849.tif 000002
【特許請求の範囲】
【請求項１】
端末装置であって、
上位レイヤからＳＤＡＰ  ＳＤＵ、及び前記ＳＤＡＰ  ＳＤＵが所属するＱｏＳフローの情報を受信する受信部と、
ＱｏＳフローと無線ベアラとの対応付けルールを格納する格納部と、を備え、
前記ＳＤＡＰ  ＳＤＵが所属するＱｏＳフローと無線ベアラとの対応付けルールが前記格納部に格納されていない場合には、前記ＳＤＡＰ  ＳＤＵをデフォルト無線ベアラに対応付け、前記ＳＤＡＰ  ＳＤＵが所属するＱｏＳフローと前記デフォルト無線ベアラとの対応付けを、ＱｏＳフローと無線ベアラとの対応付けルールとして前記格納部に格納する処理を行う処理部と、を備える、
端末装置。
【請求項２】
端末装置であって、
基地局装置からＲＲＣ再設定メッセージを受信する受信部と、
ＱｏＳフローと無線ベアラとの対応付けルールを格納する格納部と、を備え、
前記ＲＲＣ再設定メッセージは第一の無線ベアラに対する無線ベアラ設定、及び前記第一の無線ベアラに対応付けるＱｏＳフローのＱｏＳフロー識別子を含み、
前記ＱｏＳフローと前記第一の無線ベアラとは異なる第二の無線ベアラとの対応ルールを前記格納部が格納している場合で、尚且つ、前記第二の無線ベアラにＳＤＡＰヘッダが設定されている場合には、エンドマーカー制御ＰＤＵを生成し、前記第二の無線ベアラに前記エンドマーカー制御ＰＤＵを対応付け、前記エンドマーカー制御ＰＤＵを下位レイヤに提出し、前記ＱｏＳフローと前記第一の無線ベアラとの対応付けを前記格納部に格納し、
更に前記第二の無線ベアラがデフォルト無線ベアラである場合には、前記ＱｏＳフローと前記第二の無線ベアラとの対応付けルールを前記格納部から消去する処理を行う処理部と、を備える、
端末装置。
【請求項３】
基地局装置であって、
端末装置へＲＲＣ再設定メッセージを送信する送信部と、
前記ＲＲＣ再設定メッセージに第一の無線ベアラに対する無線ベアラ設定、及び前記第一の無線ベアラに対応付けるＱｏＳフローのＱｏＳフロー識別子を含み、前記端末装置に処理を行わせる処理部とを備え、
前記処理は、前記ＱｏＳフローと前記第一の無線ベアラとは異なる第二の無線ベアラとの対応ルールを格納している場合で、尚且つ、前記第二の無線ベアラにＳＤＡＰヘッダが設定されている場合には、エンドマーカー制御ＰＤＵを生成し、前記第二の無線ベアラに前記エンドマーカー制御ＰＤＵを対応付け、前記エンドマーカー制御ＰＤＵを下位レイヤに提出し、前記ＱｏＳフローと前記第一の無線ベアラとの対応付けを格納部に格納し、
更に前記第二の無線ベアラがデフォルト無線ベアラである場合には、前記ＱｏＳフローと前記第二の無線ベアラとの対応付けルールを前記格納部から消去する処理である、
基地局装置。
【請求項４】
端末装置であって、
基地局装置からＲＲＣ再設定メッセージを受信する受信部と、
ＱｏＳフローと無線ベアラとの対応付けルールを格納する格納部と、を備え、
前記ＲＲＣ再設定メッセージは第一の無線ベアラに対する無線ベアラ設定、及び前記第一の無線ベアラに対応付けるＱｏＳフローのＱｏＳフロー識別子を含み、
前記ＱｏＳフローと前記第一の無線ベアラとの対応付けルール、又は前記ＱｏＳフローと前記第一の無線ベアラとは異なる第二の無線ベアラとの対応付けルールが、前記格納部
に格納されていない場合で、デフォルト無線ベアラが設定されている場合には、前記ＱｏＳフローが前記デフォルト無線ベアラに割り当てられていたか否かを判断し、
前記ＱｏＳフローが前記デフォルト無線ベアラに割り当てられていた場合には、エンドマーカー制御ＰＤＵを生成し、前記デフォルト無線ベアラに前記エンドマーカー制御ＰＤＵを対応付け、前記エンドマーカー制御ＰＤＵを下位レイヤに提出する処理を行う処理部を備える、
端末装置。
【請求項５】
基地局装置であって、
端末装置へＲＲＣ再設定メッセージを送信する送信部と、
前記ＲＲＣ再設定メッセージに第一の無線ベアラに対する無線ベアラ設定、及び前記第一の無線ベアラに対応付けるＱｏＳフローのＱｏＳフロー識別子を含んで、前記端末装置に処理を行わせる処理部とを備え、
前記処理は、前記ＱｏＳフローと前記第一の無線ベアラとの対応付けルール、又は前記ＱｏＳフローと前記第一の無線ベアラとは異なる第二の無線ベアラとの対応付けルールが、格納部に格納されていない場合で、デフォルト無線ベアラが設定されている場合には、前記ＱｏＳフローが前記デフォルト無線ベアラに割り当てられていたか否かを判断し、
前記ＱｏＳフローが前記デフォルト無線ベアラに割り当てられていた場合には、エンドマーカー制御ＰＤＵを生成し、前記デフォルト無線ベアラに前記エンドマーカー制御ＰＤＵを対応付け、前記エンドマーカー制御ＰＤＵを下位レイヤに提出する処理である、
基地局装置。
【請求項６】
端末装置の方法であって、
上位レイヤからＳＤＡＰ  ＳＤＵ、及び前記ＳＤＡＰ  ＳＤＵが所属するＱｏＳフローの情報を受信し、
前記ＳＤＡＰ  ＳＤＵが所属するＱｏＳフローと無線ベアラとの対応付けルールが格納されていない場合には、前記ＳＤＡＰ  ＳＤＵをデフォルト無線ベアラに対応付け、前記ＳＤＡＰ  ＳＤＵが所属するＱｏＳフローと前記デフォルト無線ベアラとの対応付けを、ＱｏＳフローと無線ベアラとの対応付けルールとして格納する処理を行う処理部を行う、方法。
【請求項７】
端末装置の方法であって、
基地局装置からＲＲＣ再設定メッセージを受信し、
前記ＲＲＣ再設定メッセージは第一の無線ベアラに対する無線ベアラ設定、及び前記第一の無線ベアラに対応付けるＱｏＳフローのＱｏＳフロー識別子を含み、
前記ＱｏＳフローと前記第一の無線ベアラとは異なる第二の無線ベアラとの対応ルールを格納部が格納している場合で、尚且つ、前記第二の無線ベアラにＳＤＡＰヘッダが設定されている場合には、エンドマーカー制御ＰＤＵを生成し、前記第二の無線ベアラに前記エンドマーカー制御ＰＤＵを対応付け、前記エンドマーカー制御ＰＤＵを下位レイヤに提出し、前記ＱｏＳフローと前記第一の無線ベアラとの対応付けを前記格納部に格納し、
更に前記第二の無線ベアラがデフォルト無線ベアラである場合には、前記ＱｏＳフローと前記第二の無線ベアラとの対応付けルールを前記格納部から消去する処理を行う、
方法。
【請求項８】
基地局装置の方法であって、
端末装置へＲＲＣ再設定メッセージを送信し、
前記ＲＲＣ再設定メッセージに第一の無線ベアラに対する無線ベアラ設定、及び前記第一の無線ベアラに対応付けるＱｏＳフローのＱｏＳフロー識別子を含み、
前記端末装置に、前記ＱｏＳフローと前記第一の無線ベアラとは異なる第二の無線ベアラとの対応ルールを格納部に格納している場合で、尚且つ、前記第二の無線ベアラにＳＤ
ＡＰヘッダが設定されている場合には、エンドマーカー制御ＰＤＵを生成し、前記第二の無線ベアラに前記エンドマーカー制御ＰＤＵを対応付け、前記エンドマーカー制御ＰＤＵを下位レイヤに提出し、前記ＱｏＳフローと前記第一の無線ベアラとの対応付けを前記格納部に格納し、
更に前記第二の無線ベアラがデフォルト無線ベアラである場合には、前記ＱｏＳフローと前記第二の無線ベアラとの対応付けルールを前記格納部から消去する処理を行わせる、方法。
【請求項９】
端末装置の方法であって、
基地局装置からＲＲＣ再設定メッセージを受信し、
前記ＲＲＣ再設定メッセージは第一の無線ベアラに対する無線ベアラ設定、及び前記第一の無線ベアラに対応付けるＱｏＳフローのＱｏＳフロー識別子を含み、
前記ＱｏＳフローと前記第一の無線ベアラとの対応付けルール、又は前記ＱｏＳフローと前記第一の無線ベアラとは異なる第二の無線ベアラとの対応付けルールが、格納されていない場合で、デフォルト無線ベアラが設定されている場合には、前記ＱｏＳフローが前記デフォルト無線ベアラに割り当てられていたか否かを判断し、
前記ＱｏＳフローが前記デフォルト無線ベアラに割り当てられていた場合には、エンドマーカー制御ＰＤＵを生成し、前記デフォルト無線ベアラに前記エンドマーカー制御ＰＤＵを対応付け、前記エンドマーカー制御ＰＤＵを下位レイヤに提出する処理を行う、
方法。
【請求項１０】
基地局装置の方法であって、
端末装置へＲＲＣ再設定メッセージを送信する送信部と、
前記ＲＲＣ再設定メッセージに第一の無線ベアラに対する無線ベアラ設定、及び前記第一の無線ベアラに対応付けるＱｏＳフローのＱｏＳフロー識別子を含み、
前記端末装置に、前記ＱｏＳフローと前記第一の無線ベアラとの対応付けルール、又は前記ＱｏＳフローと前記第一の無線ベアラとは異なる第二の無線ベアラとの対応付けルールが、格納されていない場合で、デフォルト無線ベアラが設定されている場合には、前記ＱｏＳフローが前記デフォルト無線ベアラに割り当てられていたか否かを判断し、
前記ＱｏＳフローが前記デフォルト無線ベアラに割り当てられていた場合には、エンドマーカー制御ＰＤＵを生成し、前記デフォルト無線ベアラに前記エンドマーカー制御ＰＤＵを対応付け、前記エンドマーカー制御ＰＤＵを下位レイヤに提出する処理を行わせる、方法。
【発明の詳細な説明】
【技術分野】
【０００１】
本発明は、端末装置、基地局装置、方法、および、集積回路に関する。
【背景技術】
【０００２】
セルラ−移動通信の無線アクセス方式および無線ネットワーク（以下、「Ｌｏｎｇ  Ｔｅｒｍ  Ｅｖｏｌｕｔｉｏｎ（ＬＴＥ：登録商標）」、または、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ：ＥＵＴＲＡ」と称する。）、及びコアネットワーク（以下、「Ｅｖｏｌｖｅｄ  Ｐａｃｋｅｔ  Ｃｏｒｅ：ＥＰＣ」）が、第三世代パートナーシッププロジェクト（３ｒｄ  Ｇｅｎｅｒａｔｉｏｎ  Ｐａｒｔｎｅｒｓｈｉｐ  Ｐｒｏｊｅｃｔ：３ＧＰＰ）において検討されている。
【０００３】
また、３ＧＰＰにおいて、第５世代のセルラ−システムに向けた無線アクセス方式および無線ネットワーク技術として、ＬＴＥの拡張技術であるＬＴＥ−Ａｄｖａｎｃｅｄ  Ｐｒｏおよび新しい無線アクセス技術であるＮＲ（Ｎｅｗ  Ｒａｄｉｏ  ｔｅｃｈｎｏｌｏｇｙ）の技術検討及び規格策定が行われている（非特許文献１）。また第５世代セルラーシステムに向けたコアネットワークである、５ＧＣ（５  Ｇｅｎｅｒａｔｉｏｎ  Ｃｏｒｅ  Ｎｅｔｗｏｒｋ）の検討も行われている（非特許文献２）。
【先行技術文献】
【非特許文献】
【０００４】
【非特許文献１】３ＧＰＰ  ＲＰ−１７０８５５，”Ｗｏｒｋ  Ｉｔｅｍ  ｏｎ  Ｎｅｗ  Ｒａｄｉｏ  （ＮＲ）  Ａｃｃｅｓｓ Ｔｅｃｈｎｏｌｏｇｙ”
【非特許文献２】３ＧＰＰ  ＴＳ  ２３．５０１,“Ｓｙｓｔｅｍ  Ａｒｃｈｉｔｅｃｔｕｒｅ  ｆｏｒ  ｔｈｅ  ５Ｇ  Ｓｙｓｔｅｍ；  Ｓｔａｇｅ  ２”
【非特許文献３】３ＧＰＰ  ＴＳ  ３６．３００,  “Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  Ｎｅｔｗｏｒｋ  （Ｅ−ＵＴＲＡＮ）；Ｏｖｅｒａｌｌ  ｄｅｓｃｒｉｐｔｉｏｎ；  Ｓｔａｇｅ  ２”
【非特許文献４】３ＧＰＰ  ＴＳ  ３６．３３１,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献５】３ＧＰＰ  ＴＳ  ３６．３２３,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献６】３ＧＰＰ  ＴＳ  ３６．３２２,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献７】３ＧＰＰ  ＴＳ  ３６．３２１,“Ｅｖｏｌｖｅｄ  Ｕｎｉｖｅｒｓａｌ  Ｔｅｒｅｓｔｒｉａｌ  Ｒａｄｉｏ  Ａｃｃｅｓｓ  （Ｅ−ＵＴＲＡ）；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献８】３ＧＰＰ  ＴＳ  ３７．３７４,“ＥｖｏｌｖｅｄＵｎｉｖｅｒｓａｌ  Ｔｅｒｅｓｔｒｉａｌ  Ｒａｄｉｏ  Ａｃｃｅｓｓ  （Ｅ−ＵＴＲＡ）ａｎｄ  ＮＲ;  Ｍｕｌｔｉ−Ｃｏｎｎｅｃｔｉｖｉｔｙ;  Ｓｔａｇｅ  ２”
【非特許文献９】３ＧＰＰ  ＴＳ  ３８．３００,  “ＮＲ；ＮＲ  ａｎｄ  ＮＧ−ＲＡＮ  Ｏｖｅｒａｌｌ  ｄｅｓｃｒｉｐｔｉｏｎ；  Ｓｔａｇｅ  ２”
【非特許文献１０】３ＧＰＰ  ＴＳ  ３８．３３１,“ＮＲ；Ｒａｄｉｏ  Ｒｅｓｏｕｒｃｅ  Ｃｏｎｔｒｏｌ  （ＲＲＣ）；Ｐｒｏｔｏｃｏｌ  ｓｐｅｃｉｆｉｃａｔｉｏｎｓ”
【非特許文献１１】３ＧＰＰ  ＴＳ  ３８．３２３,“ＮＲ；Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”
【非特許文献１２】３ＧＰＰ  ＴＳ  ３８．３２２,“ＮＲ；Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”
【非特許文献１３】３ＧＰＰ  ＴＳ  ３８．３２１,“ＮＲ；Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”
【非特許文献１４】３ＧＰＰ  ＴＳ  ２３．４０１  ｖ１４．３．０，“Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）  ａｃｃｅｓｓ”
【非特許文献１５】３ＧＰＰ  ＴＳ  ２３．５０２,“Ｐｒｏｃｅｄｕｒｅ  ｆｏｒ  ５Ｇ  Ｓｙｓｔｅｍ；  Ｓｔａｇｅ  ２”
【非特許文献１６】３ＧＰＰ  ＴＳ  ３８．３２４,  “ＮＲ；Ｓｅｒｖｉｃｅ  Ｄａｔａ  Ａｄａｐｔａｔｉｏｎ  Ｐｒｏｔｏｃｏｌ  （ＳＤＡＰ）  ｓｐｅｃｉｆｉｃａｔｉｏｎ”
【発明の概要】
【発明が解決しようとする課題】
【０００５】
ＮＲの技術検討の一つとして、ＩＰ（Ｉｎｔｅｒｎｅｔ  Ｐｒｏｔｏｃｏｌ）レイヤ（ｌａｙｅｒ）以上の上位レイヤとＮＲの無線アクセスレイヤとの間のＱｏＳ（Ｑｕａｌｉｔｙ  ｏｆ  Ｓｅｒｖｉｃｅ）管理を行う、無線アクセスレイヤのプロトコルが検討されている。
【０００６】
しかしながら、上位レイヤと無線アクセスレイヤの間でのＱｏＳ管理が正しく行われない場合、基地局装置と端末装置との通信を効率的に行うことができないという課題があった。
【０００７】
本発明の一態様は、上記した事情に鑑みてなされたもので、基地局装置との通信を効率的に行うことができる端末装置、基地局装置、該端末装置に用いられる方法、該端末装置に実装される集積回路を提供することを目的の一つとする。
【課題を解決するための手段】
【０００８】
上記の目的を達成するために、本発明の一態様は、以下のような手段を講じた。すなわち、端末装置であって、上位レイヤからＳＤＡＰ  ＳＤＵ、及び前記ＳＤＡＰ  ＳＤＵが所属するＱｏＳフローの情報を受信する受信部と、ＱｏＳフローと無線ベアラとの対応付けルールを格納する格納部と、を備え、前記ＳＤＡＰ  ＳＤＵが所属するＱｏＳフローと無線ベアラとの対応付けルールが前記格納部に格納されていない場合には、前記ＳＤＡＰ
ＳＤＵをデフォルト無線ベアラに対応付け、前記ＳＤＡＰ  ＳＤＵが所属するＱｏＳフローと前記デフォルト無線ベアラとの対応付けを、ＱｏＳフローと無線ベアラとの対応付けルールとして前記格納部に格納する処理を行う処理部と、を備える。
【０００９】
また本発明の一態様は、端末装置であって、基地局装置からＲＲＣ再設定メッセージを
受信する受信部と、ＱｏＳフローと無線ベアラとの対応付けルールを格納する格納部と、を備え、前記ＲＲＣ再設定メッセージは第一の無線ベアラに対する無線ベアラ設定、及び前記第一の無線ベアラに対応付けるＱｏＳフローのＱｏＳフロー識別子を含み、前記ＱｏＳフローと前記第一の無線ベアラとは異なる第二の無線ベアラとの対応ルールを前記格納部が格納している場合で、尚且つ、前記第二の無線ベアラにＳＤＡＰヘッダが設定されている場合には、エンドマーカー制御ＰＤＵを生成し、前記第二の無線ベアラに前記エンドマーカー制御ＰＤＵを対応付け、前記エンドマーカー制御ＰＤＵを下位レイヤに提出し、前記ＱｏＳフローと前記第一の無線ベアラとの対応付けを前記格納部に格納し、更に前記第二の無線ベアラがデフォルト無線ベアラである場合には、前記ＱｏＳフローと前記第二の無線ベアラとの対応付けルールを前記格納部から消去する処理を行う処理部と、を備える。
【００１０】
また本発明の一態様は、基地局装置であって、端末装置へＲＲＣ再設定メッセージを送信する送信部と、前記ＲＲＣ再設定メッセージに第一の無線ベアラに対する無線ベアラ設定、及び前記第一の無線ベアラに対応付けるＱｏＳフローのＱｏＳフロー識別子を含み、前記端末装置に処理を行わせる処理部とを備え、前記処理は、前記ＱｏＳフローと前記第一の無線ベアラとは異なる第二の無線ベアラとの対応ルールを格納部に格納している場合で、尚且つ、前記第二の無線ベアラにＳＤＡＰヘッダが設定されている場合には、エンドマーカー制御ＰＤＵを生成し、前記第二の無線ベアラに前記エンドマーカー制御ＰＤＵを対応付け、前記エンドマーカー制御ＰＤＵを下位レイヤに提出し、前記ＱｏＳフローと前記第一の無線ベアラとの対応付けを格納し、更に前記第二の無線ベアラがデフォルト無線ベアラである場合には、前記ＱｏＳフローと前記第二の無線ベアラとの対応付けルールを前記格納部から消去する処理である。
【００１１】
また本発明の一態様は、端末装置であって、基地局装置からＲＲＣ再設定メッセージを受信する受信部と、ＱｏＳフローと無線ベアラとの対応付けルールを格納する格納部と、を備え、前記ＲＲＣ再設定メッセージは第一の無線ベアラに対する無線ベアラ設定、及び前記第一の無線ベアラに対応付けるＱｏＳフローのＱｏＳフロー識別子を含み、前記ＱｏＳフローと前記第一の無線ベアラとの対応付けルール、又は前記ＱｏＳフローと前記第一の無線ベアラとは異なる第二の無線ベアラとの対応付けルールが、前記格納部に格納されていない場合で、デフォルト無線ベアラが設定されている場合には、前記ＱｏＳフローが前記デフォルト無線ベアラに割り当てられていたか否かを判断し、前記ＱｏＳフローが前記デフォルト無線ベアラに割り当てられていた場合には、エンドマーカー制御ＰＤＵを生成し、前記デフォルト無線ベアラに前記エンドマーカー制御ＰＤＵを対応付け、前記エンドマーカー制御ＰＤＵを下位レイヤに提出する処理を行う処理部を備える。
【００１２】
また本発明の一態様は、基地局装置であって、端末装置へＲＲＣ再設定メッセージを送信する送信部と、前記ＲＲＣ再設定メッセージに第一の無線ベアラに対する無線ベアラ設定、及び前記第一の無線ベアラに対応付けるＱｏＳフローのＱｏＳフロー識別子を含んで、前記端末装置に処理を行わせる処理部とを備え、前記処理は、前記ＱｏＳフローと前記第一の無線ベアラとの対応付けルール、又は前記ＱｏＳフローと前記第一の無線ベアラとは異なる第二の無線ベアラとの対応付けルールが、格納部に格納されていない場合で、デフォルト無線ベアラが設定されている場合には、前記ＱｏＳフローが前記デフォルト無線ベアラに割り当てられていたか否かを判断し、前記ＱｏＳフローが前記デフォルト無線ベアラに割り当てられていた場合には、エンドマーカー制御ＰＤＵを生成し、前記デフォルト無線ベアラに前記エンドマーカー制御ＰＤＵを対応付け、前記エンドマーカー制御ＰＤＵを下位レイヤに提出する処理である。
【００１３】
また本発明の一態様は、端末装置の方法であって、上位レイヤからＳＤＡＰ  ＳＤＵ、及び前記ＳＤＡＰ  ＳＤＵが所属するＱｏＳフローの情報を受信し、前記ＳＤＡＰ  ＳＤ
Ｕが所属するＱｏＳフローと無線ベアラとの対応付けルールが格納されていない場合には、前記ＳＤＡＰ  ＳＤＵをデフォルト無線ベアラに対応付け、前記ＳＤＡＰ  ＳＤＵが所属するＱｏＳフローと前記デフォルト無線ベアラとの対応付けを、ＱｏＳフローと無線ベアラとの対応付けルールとして格納する処理を行う処理部を行う。
【００１４】
また本発明の一態様は、端末装置の方法であって、基地局装置からＲＲＣ再設定メッセージを受信し、前記ＲＲＣ再設定メッセージは第一の無線ベアラに対する無線ベアラ設定、及び前記第一の無線ベアラに対応付けるＱｏＳフローのＱｏＳフロー識別子を含み、前ＱｏＳフローと前記第一の無線ベアラとは異なる第二の無線ベアラとの対応ルールを前記格納部が格納している場合で、尚且つ、前記第二の無線ベアラにＳＤＡＰヘッダが設定されている場合には、エンドマーカー制御ＰＤＵを生成し、前記第二の無線ベアラに前記エンドマーカー制御ＰＤＵを対応付け、前記エンドマーカー制御ＰＤＵを下位レイヤに提出し、前記ＱｏＳフローと前記第一の無線ベアラとの対応付けを格納し、更に前記第二の無線ベアラがデフォルト無線ベアラである場合には、前記ＱｏＳフローと前記第二の無線ベアラとの対応付けルールを前記格納部から消去する処理を行う。
【００１５】
また本発明の一態様は、基地局装置の方法であって、端末装置へＲＲＣ再設定メッセージを送信し、前記ＲＲＣ再設定メッセージに第一の無線ベアラに対する無線ベアラ設定、及び前記第一の無線ベアラに対応付けるＱｏＳフローのＱｏＳフロー識別子を含み、前記端末装置に、前記ＱｏＳフローと前記第一の無線ベアラとは異なる第二の無線ベアラとの対応ルールを格納部に格納している場合で、尚且つ、前記第二の無線ベアラにＳＤＡＰヘッダが設定されている場合には、エンドマーカー制御ＰＤＵを生成し、前記第二の無線ベアラに前記エンドマーカー制御ＰＤＵを対応付け、前記エンドマーカー制御ＰＤＵを下位レイヤに提出し、前記ＱｏＳフローと前記第一の無線ベアラとの対応付けを格納し、更に前記第二の無線ベアラがデフォルト無線ベアラである場合には、前記ＱｏＳフローと前記第二の無線ベアラとの対応付けルールを前記格納部から消去する処理を行わせる。
【００１６】
また本発明の一態様は、端末装置の方法であって、基地局装置からＲＲＣ再設定メッセージを受信し、前記ＲＲＣ再設定メッセージは第一の無線ベアラに対する無線ベアラ設定、及び前記第一の無線ベアラに対応付けるＱｏＳフローのＱｏＳフロー識別子を含み、前記ＱｏＳフローと前記第一の無線ベアラとの対応付けルール、又は前記ＱｏＳフローと前記第一の無線ベアラとは異なる第二の無線ベアラとの対応付けルールが、格納部に格納されていない場合で、デフォルト無線ベアラが設定されている場合には、前記ＱｏＳフローが前記デフォルト無線ベアラに割り当てられていたか否かを判断し、前記ＱｏＳフローが前記デフォルト無線ベアラに割り当てられていた場合には、エンドマーカー制御ＰＤＵを生成し、前記デフォルト無線ベアラに前記エンドマーカー制御ＰＤＵを対応付け、前記エンドマーカー制御ＰＤＵを下位レイヤに提出する処理を行う。
【００１７】
また本発明の一態様は、基地局装置の方法であって、端末装置へＲＲＣ再設定メッセージを送信する送信部と、前記ＲＲＣ再設定メッセージに第一の無線ベアラに対する無線ベアラ設定、及び前記第一の無線ベアラに対応付けるＱｏＳフローのＱｏＳフロー識別子を含み、前記端末装置に、前記ＱｏＳフローと前記第一の無線ベアラとの対応付けルール、又は前記ＱｏＳフローと前記第一の無線ベアラとは異なる第二の無線ベアラとの対応付けルールが、格納部に格納されていない場合で、デフォルト無線ベアラが設定されている場合には、前記ＱｏＳフローが前記デフォルト無線ベアラに割り当てられていたか否かを判断し、前記ＱｏＳフローが前記デフォルト無線ベアラに割り当てられていた場合には、エンドマーカー制御ＰＤＵを生成し、前記デフォルト無線ベアラに前記エンドマーカー制御ＰＤＵを対応付け、前記エンドマーカー制御ＰＤＵを下位レイヤに提出する処理を行わせる。
【００１８】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【００１９】
本発明の一態様によれば、端末装置は、プロトコル処理の複雑さを軽減し、効率的に通信を行うことができる。
【図面の簡単な説明】
【００２０】
【図１】本発明の各実施の形態に係る通信システムの概略図。
【図２】本発明の各実施の形態における、Ｅ−ＵＴＲＡにおける端末装置と基地局装置のＵＰ及びＣＰのプロトコルスタック図。
【図３】本発明の各実施の形態における、ＮＲにおける端末装置と基地局装置のＵＰ及びＣＰのプロトコルスタック図。
【図４】本発明の各実施の形態におけるＲＲＣコネクション再設定手順のフローの一例を示す図
【図５】本発明の各実施の形態における端末装置の構成を示すブロック図。
【図６】本発明の実施の形態１における処理方法の一例。
【図７】本発明の各実施の形態における基地局装置の構成を示すブロック図。
【図８】本発明の各実施の形態における無線ベアラ設定に係る情報、及び情報のＡＳＮ．１（Ａｂｓｔｒａｃｔ  Ｓｙｎｔａｘ  Ｎｏｔａｔｉｏｎ  Ｏｎｅ）記述の一例を示す図。
【図９】本発明の実施の形態１における処理方法の別の一例。
【図１０】本発明の実施の形態２における処理方法の一例。
【発明を実施するための形態】
【００２１】
以下、本発明の実施の形態について、図面を参照して詳細に説明する。
【００２２】
ＬＴＥ（およびＬＴＥ−Ａ  Ｐｒｏ）とＮＲは、異なるＲＡＴとして定義されてもよい。またＮＲは、ＬＴＥに含まれる技術として定義されてもよい。ＬＴＥは、ＮＲに含まれる技術として定義されてもよい。また、ＮＲとＭｕｌｔｉ  ＲＡＴ  Ｄｕａｌ  ｃｏｎｎｅｃｔｉｖｉｔｙで接続可能なＬＴＥは、従来のＬＴＥと区別されてもよい。本実施形態はＮＲ、ＬＴＥおよび他のＲＡＴに適用されてよい。以下の説明では、ＬＴＥおよびＮＲに関連する用語を用いて説明するが、他の用語を用いる他の技術において適用されてもよい。また本実施形態でのＥ−ＵＴＲＡという用語は、ＬＴＥという用語に置き換えられても良いし、ＬＴＥという用語はＥ−ＵＴＲＡという用語に置き換えられても良い。
【００２３】
図１は本発明の各実施の形態に係る通信システムの概略図である。
【００２４】
Ｅ−ＵＴＲＡ１００は非特許文献３等に記載の無線アクセス技術であり、１つ又は複数の周波数帯域で構成するセルグループ（Ｃｅｌｌ  Ｇｒｏｕｐ：ＣＧ）から成る。ｅＮＢ（Ｅ−ＵＴＲＡＮ  Ｎｏｄｅ  Ｂ）１０２は、Ｅ−ＵＴＲＡの基地局装置である。ＥＰＣ（Ｅｖｏｌｖｅｄ  Ｐａｃｋｅｔ  Ｃｏｒｅ）１０４は、非特許文献１４等に記載のコア網であり、Ｅ−ＵＴＲＡ用コア網として設計された。インタフェース１１２はｅＮＢ１０２とＥＰＣ１０４の間のインタフェース（ｉｎｔｅｒｆａｃｅ）であり、制御信号が通る制御プレーン（Ｃｏｎｔｒｏｌ  Ｐｌａｎｅ：ＣＰ）と、そのユーザデータが通るユーザプレーン（Ｕｓｅｒ  Ｐｌａｎｅ：ＵＰ）が存在する。
【００２５】
ＮＲ１０６は現在３ＧＰＰにて検討している新しい無線アクセス技術であり、１つ又は
複数の周波数帯域で構成するセルグループ（Ｃｅｌｌ  Ｇｒｏｕｐ：ＣＧ）から成る。ｇＮＢ（ｇ  Ｎｏｄｅ  Ｂ）１０８は、ＮＲの基地局装置である。５ＧＣ１１０は、現在３ＧＰＰにて検討しているＮＲ用の新しいコア網であり、非特許文献２等に記載される。
【００２６】
インタフェース１１４はｅＮＢ１０２と５ＧＣ１１０の間のインタフェース、インタフェース１１６はｇＮＢ１０８と５ＧＣ１１０の間のインタフェース、インタフェース１１８はｇＮＢ１０８とＥＰＣ１０４の間のインタフェース、インタフェース１２０はｅＮＢ１０２とｇＮＢ１０８の間のインタフェース、インタフェース１２４はＥＰＣ１０４と５ＧＣ１１０間のインタフェースである。インタフェース１１４、インタフェース１１６、インタフェース１１８、インタフェース１２０、インタフェース１２４はＣＰのみ、又はＵＰのみ、又はＣＰ及びＵＰ両方を通すインタフェースである。また、インタフェース１１４、インタフェース１１６、インタフェース１１８、インタフェース１２０、インタフェース１２４は、通信事業者が提供する通信システムに応じて存在しない場合もある。
【００２７】
ＵＥ１２２はＮＲに対応、又はＥ−ＵＴＲＡ及びＮＲ両方に対応した端末装置である。
【００２８】
図２は本発明の各実施の形態における、Ｅ−ＵＴＲＡ無線アクセスレイヤにおける端末装置と基地局装置のＵＰ及びＣＰのプロトコルスタック（Ｐｒｏｔｏｃｏｌ  Ｓｔａｃｋ）図である。
【００２９】
図２（Ａ）はＵＥ１２２がｅＮＢ１０２と通信を行う際に用いるＵＰのプロトコルスタック図である。
【００３０】
ＰＨＹ（Ｐｈｙｓｉｃａｌ  ｌａｙｅｒ）２００は、無線物理層（無線物理レイヤ）であり、物理チャネル（Ｐｈｙｓｉｃａｌ  Ｃｈａｎｎｅｌ）を利用して上位層（上位レイヤ）に伝送サービスを提供する。ＰＨＹ２００は、後述する上位のＭＡＣ（Ｍｅｄｉｕｍ
Ａｃｃｅｓｓ  Ｃｏｎｔｒｏｌ  ｌａｙｅｒ）２０２とトランスポートチャネル（Ｔｒａｎｓｐｏｒｔ  Ｃｈａｎｎｅｌ）で接続される。トランスポートチャネルを介して、ＭＡＣ２０２とＰＨＹ２００の間でデ−タが移動する。ＵＥ１２２とｅＮＢ１０２のＰＨＹ間において、無線物理チャネルを介してデ−タの送受信が行われる。
【００３１】
ＭＡＣ２０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ２０２は、後述する上位のＲＬＣ（Ｒａｄｉｏ  Ｌｉｎｋ  Ｃｏｎｔｒｏｌ  ｌａｙｅｒ）２０４と、論理チャネルで接続される。論理チャネルは、伝送される情報の種類によって大きく分けられ、制御情報を伝送する制御チャネルとユ−ザ情報を伝送するトラフィックチャネルに分けられる。ＭＡＣ２０２は、間欠受送信（ＤＲＸ・ＤＴＸ）を行うためにＰＨＹ２００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持つ（非特許文献７）。
【００３２】
ＲＬＣ２０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層（下位レイヤ）が適切にデ−タ送信できるようにデ−タサイズを調節する無線リンク制御層（無線リンク制御レイヤ）である。また、ＲＬＣ２００は、各デ−タが要求するＱｏＳ（Ｑｕａｌｉｔｙ  ｏｆ  Ｓｅｒｖｉｃｅ）を保証するための機能も持つ。すなわち、ＲＬＣ２０４は、デ−タの再送制御等の機能を持つ（非特許文献６）。
【００３３】
ＰＤＣＰ２０６は、ユーザデータであるＩＰパケット（ＩＰ  Ｐａｃｋｅｔ）を無線区
間で効率的に伝送するためのパケットデータ収束プロトコル層（パケットデータ収束プロトコルレイヤ）である。ＰＤＣＰ２０６は、不要な制御情報の圧縮を行うヘッダ圧縮機能を持ってもよい。また、ＰＤＣＰ２０６は、デ−タの暗号化の機能も持ってもよい（非特許文献５）。
【００３４】
なお、ＭＡＣ２０２、ＲＬＣ２０４、ＰＤＣＰ２０６において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵと呼ぶ。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵと呼ぶ。
【００３５】
図２（Ｂ）はＵＥ１２２がｅＮＢ１０２と通信を行う際に用いるＣＰのプロトコルスタック図である。
【００３６】
ＣＰのプロトコルスタックには、ＰＨＹ２００、ＭＡＣ２０２、ＲＬＣ２０４、ＰＤＣＰ２０６に加え、ＲＲＣ（Ｒａｄｉｏ  Ｒｅｓｏｕｒｃｅ  Ｃｏｎｔｒｏｌ  ｌａｙｅｒ）２０８が存在する。ＲＲＣ２０８は、無線ベアラ（Ｒａｄｉｏ  Ｂｅａｒｅｒ：ＲＢ）の設定・再設定などを行い、論理チャネル、トランスポートチャネル及び物理チャネルの制御を行う無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｅＮＢ１０２とＵＥ１２２のＲＲＣ２０８間で各ＲＢの設定が行われてもよい（非特許文献４）。
【００３７】
前述のＭＡＣ２０２、ＲＬＣ２０４、ＰＤＣＰ２０６、及びＲＲＣ２０８の機能分類は一例であり、各機能の一部あるいは全部が実装されなくてもよい。また、各層の機能の一部あるいは全部が他の層に含まれてもよい。
【００３８】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＰＤＣＰレイヤの上位レイヤとなる（不図示）。またＲＲＣレイヤやＮＡＳ（ｎｏｎ  Ａｃｃｅｓｓ  Ｓｔｒａｒｕｍ）レイヤもＳＤＡＰレイヤの上位レイヤとなる。言い換えれば、ＰＤＣＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤの下位レイヤとなる。
【００３９】
図３は本発明の各実施の形態における、ＮＲ無線アクセスレイヤにおける端末装置と基地局装置のＵＰ及びＣＰのプロトコルスタック（Ｐｒｏｔｏｃｏｌ  Ｓｔａｃｋ）図である。
【００４０】
図３（Ａ）はＵＥ１２２がｇＮＢ１０８と通信を行う際に用いるＵＰのプロトコルスタック図である。
【００４１】
ＰＨＹ（Ｐｈｙｓｉｃａｌ  ｌａｙｅｒ）３００は、ＮＲの無線物理層（無線物理レイヤ）であり、物理チャネル（Ｐｈｙｓｉｃａｌ  Ｃｈａｎｎｅｌ）を利用して上位層に伝送サービスを提供してもよい。ＰＨＹ３００は、後述する上位のＭＡＣ（Ｍｅｄｉｕｍ  Ａｃｃｅｓｓ  Ｃｏｎｔｒｏｌ  ｌａｙｅｒ）３０２とトランスポートチャネル（Ｔｒａｎｓｐｏｒｔ  Ｃｈａｎｎｅｌ）で接続されてもよい。トランスポートチャネルを介して
、ＭＡＣ３０２とＰＨＹ３００の間でデ−タが移動してもよい。ＵＥ１２２とｇＮＢ１０８のＰＨＹ間において、無線物理チャネルを介してデ−タの送受信が行われてもよい。
【００４２】
ＭＡＣ３０２は、多様な論理チャネル（Ｌｏｇｉｃａｌ  Ｃｈａｎｎｅｌ）を多様なトランスポートチャネルにマッピングを行う媒体アクセス制御層（媒体アクセス制御レイヤ）である。ＭＡＣ３０２は、後述する上位のＲＬＣ（Ｒａｄｉｏ  Ｌｉｎｋ  Ｃｏｎｔｒｏｌ  ｌａｙｅｒ）３０４と、論理チャネルで接続されてもよい。論理チャネルは、伝送される情報の種類によって大きく分けられ、制御情報を伝送する制御チャネルとユ−ザ情報を伝送するトラフィックチャネルに分けられてもよい。ＭＡＣ３０２は、間欠受送信（ＤＲＸ・ＤＴＸ）を行うためにＰＨＹ３００の制御を行う機能、ランダムアクセス（Ｒａｎｄｏｍ  Ａｃｃｅｓｓ）手順を実行する機能、送信電力の情報を通知する機能、ＨＡＲＱ制御を行う機能などを持ってもよい（非特許文献１３）。
【００４３】
ＲＬＣ３０４は、後述する上位のＰＤＣＰ（Ｐａｃｋｅｔ  Ｄａｔａ  Ｃｏｎｖｅｒｇｅｎｃｅ  Ｐｒｏｔｏｃｏｌ  Ｌａｙｅｒ）２０６から受信したデ−タを分割（Ｓｅｇｍｅｎｔａｔｉｏｎ）し、下位層が適切にデ−タ送信できるようにデ−タサイズを調節する無線リンク制御層（無線リンク制御レイヤ）である。また、ＲＬＣ３０４は、各デ−タが要求するＱｏＳ（Ｑｕａｌｉｔｙ  ｏｆ  Ｓｅｒｖｉｃｅ）を保証するための機能も持っても良い。すなわち、ＲＬＣ３０４は、デ−タの再送制御等の機能を持っても良い（非特許文献１２）。
【００４４】
ＰＤＣＰ３０６は、ユーザデータであるＩＰパケット（ＩＰ  Ｐａｃｋｅｔ）を無線区間で効率的に伝送するパケットデータ収束プロトコル層（パケットデータ収束プロトコル層）である。ＰＤＣＰ３０６、不要な制御情報の圧縮を行うヘッダ圧縮機能を持ってもよい。また、ＰＤＣＰ３０６は、デ−タの暗号化の機能も持ってもよい（非特許文献１１）。
【００４５】
ＳＤＡＰ（Ｓｅｒｖｉｃｅ  Ｄａｔａ  Ａｄａｐｔａｔｉｏｎ  Ｐｒｏｔｏｃｏｌ）３１０は、コアネットワークから基地局装置を介して端末装置に送られるダウンリンクのＱｏＳフローとＤＲＢとの対応付け（マッピング：ｍａｐｐｉｎｇ）、及び端末装置から基地局装置を介してコアネットワークに送られるアップリンクのＱｏＳフローと、ＤＲＢとのマッピングを行い、マッピングルール情報を格納する機能を持もつ、サービスデータ適応プロトコル層（サービスデータ適応プロトコルレイヤ）である（非特許文献１６）。端末装置が上位レイヤよりＳＤＡＰ  ＳＤＵをＱｏＳフロー情報と共にを受け取った際、格納されているＱｏＳフローとＤＲＢとのマッピングルールに基づいて、ＳＤＡＰ  ＳＤＵを該当するＤＲＢに割り当てる。ＱｏＳフローとＤＲＢとのマッピングルールが格納されていない場合、ＳＤＡＰ  ＳＤＵをデフォルト無線ベアラとは（デフォルトＤＲＢ）に割り当てても良い。ＱｏＳフローは同じＱｏＳポリシーによって処理される、一つ又は複数のサービスデータフロー（Ｓｅｒｖｉｃｅ  Ｄａｔａ  Ｆｌｏｗ：ＳＤＦ）から成る（非特許文献２）。またＳＤＡＰはダウンリンクＱｏＳフローの情報を基に、アップリンクのＱｏＳフローとＤＲＢとのマッピングを行う、リフレクティブＱｏＳ（Ｒｅｆｌｅｃｔｉｖｅ  ＱｏＳ）の機能を持っても良い。またＱｏＳフローとＤＲＢとの対応付けルールが変更になった場合には、エンドマーカー（Ｅｎｄ  Ｍａｒｋｅｒ）を作成し、変更前のＤＲＢに送信する事により、ＳＤＡＰ  ＳＤＵの順番通りの配信（ｉｎ−ｓｅｑｕｅｎｃｅ
ｄｅｌｉｖｅｒｙ）を保証しても良い（非特許文献２、非特許文献１６）。
【００４６】
なお、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ  Ｐｒｏｔｏｃｏｌ）レイヤ、アプリケーションレイヤなどは、ＳＤＡＰレイヤの上位レイヤとなる（不図示）。またＲＲＣレイヤやＮＡＳ（ｎｏｎ  Ａｃｃｅｓｓ  Ｓｔｒａｒｕｍ）レ
イヤもＳＤＡＰレイヤの上位レイヤとなる。ＮＡＳレイヤにおいて、サービスデータフローとＱｏＳフローとの対応付が行われる。言い換えれば、ＳＤＡＰレイヤはＲＲＣレイヤ、ＮＡＳレイヤ、ＩＰレイヤ、及びＩＰレイヤより上のＴＣＰ（Ｔｒａｎｓｍｉｓｓｉｏｎ  Ｃｏｎｔｒｏｌ  Ｐｒｏｔｏｃｏｌ）レイヤ、ＵＤＰ（Ｕｓｅｒ  Ｄａｔａｇｒａｍ
Ｐｒｏｔｏｃｏｌ）レイヤ、アプリケーションレイヤの下位レイヤとなる。
【００４７】
なお、ＭＡＣ３０２、ＲＬＣ３０４、ＰＤＣＰ３０６、ＳＤＡＰ３１０において処理されたデータの事を、それぞれＭＡＣ  ＰＤＵ（Ｐｒｏｔｏｃｏｌ  Ｄａｔａ  Ｕｎｉｔ）、ＲＬＣ  ＰＤＵ、ＰＤＣＰ  ＰＤＵ、ＳＤＡＰ  ＰＤＵと呼んでも良い。また、ＭＡＣ２０２、ＲＬＣ２０４、ＰＤＣＰ２０６に上位層から渡されるデータ、又は上位層に渡すデータの事を、それぞれＭＡＣ  ＳＤＵ（Ｓｅｒｖｉｃｅ  Ｄａｔａ  Ｕｎｉｔ）、ＲＬＣ  ＳＤＵ、ＰＤＣＰ  ＳＤＵ、ＳＤＡＰ  ＳＤＵと呼んでも良い。
【００４８】
図３（Ｂ）はＵＥ１２２がｇＮＢ１０８と通信を行う際に用いるＣＰのプロトコルスタック図である。
【００４９】
ＣＰのプロトコルスタックには、ＰＨＹ３００、ＭＡＣ３０２、ＲＬＣ３０４、ＰＤＣＰ３０６に加え、ＲＲＣ（Ｒａｄｉｏ  Ｒｅｓｏｕｒｃｅ  Ｃｏｎｔｒｏｌ  ｌａｙｅｒ）３０８が存在する。ＲＲＣ３０８は、無線ベアラ（Ｒａｄｉｏ  Ｂｅａｒｅｒ：ＲＢ）の設定・再設定などを行い、論理チャネル、トランスポートチャネル及び物理チャネルの制御を行う無線リンク制御層（無線リンク制御レイヤ）である。ＲＢは、シグナリグ無線ベアラ（Ｓｉｇｎａｌｉｎｇ  Ｒａｄｉｏ  Ｂｅａｒｅｒ：ＳＲＢ）とデ−タ無線ベアラ（Ｄａｔａ  Ｒａｄｉｏ  Ｂｅａｒｅｒ：ＤＲＢ）とに分けられてもよく、ＳＲＢは、制御情報であるＲＲＣメッセージを送信する経路として利用されてもよい。ＤＲＢは、ユーザデータを送信する経路として利用されてもよい。ｇＮＢ１０８とＵＥ１２２のＲＲＣ３０８間で各ＲＢの設定が行われてもよい。またＲＢのうちＲＬＣ３０４とＭＡＣ３０２で構成される部分をＲＬＣベアラと呼んでも良い（非特許文献１０）。
【００５０】
前述のＭＡＣ３０２、ＲＬＣ３０４、ＰＤＣＰ３０６、ＳＤＡＰ３１０、及びＲＲＣ３０８の機能分類は一例であり、各機能の一部あるいは全部が実装されなくてもよい。また、各層（各レイヤ）の機能の一部あるいは全部が他の層（レイヤ）に含まれてもよい。
【００５１】
なお、本発明の各実施の形態では、以下Ｅ−ＵＴＲＡのプロトコルとＮＲのプロトコルを区別するため、ＭＡＣ２０２、ＲＬＣ２０４、ＰＤＣＰ２０６、及びＲＲＣ２０８を、それぞれＥ−ＵＴＲＡ用ＭＡＣ又はＬＴＥ用ＭＡＣ、Ｅ−ＵＴＲＡ用ＲＬＣ又はＬＴＥ用ＲＬＣ、Ｅ−ＵＴＲＡ用ＰＤＣＰ又はＬＴＥ用ＰＤＣＰ、及びＥ−ＵＴＲＡ用ＲＲＣ又はＬＴＥ用ＲＲＣと呼ぶ事もある。また、ＭＡＣ３０２、ＲＬＣ３０４、ＰＤＣＰ３０６、ＲＲＣ３０８を、それぞれＮＲ用ＭＡＣ、ＮＲ用ＲＬＣ、ＮＲ用ＲＬＣ、及びＮＲ用ＲＲＣと呼ぶ事もある。又は、Ｅ−ＵＴＲＡ  ＰＤＣＰ又はＬＴＥ  ＰＤＣＰ、ＮＲ  ＰＤＣＰなどとスペースを用いて記述する場合もある。
【００５２】
また、図１に示す通り、ｅＮＢ１０２、ｇＮＢ１０８、ＥＰＣ１０４、５ＧＣ１１０は、インタフェース１１２、インタフェース１１６、インタフェース１１８、インタフェース１２０、及びインタフェース１１４を介して繋がってもよい。このため、多様な通信システムに対応するため、図２のＲＲＣ２０８は、図３のＲＲＣ３０８に置き換えられてもよい。また図２のＰＤＣＰ２０６は、図３のＰＤＣＰ３０６に置き換えられても良い。また、図３のＲＲＣ３０８は、図２のＲＲＣ２０８の機能を含んでも良い。また図３のＰＤＣＰ３０６は、図２のＰＤＣＰ２０６であっても良い。
【００５３】
（実施の形態１）
図４から図９を用いて、本発明の実施の形態１を説明する。
【００５４】
図４は本発明の各実施の形態におけるＲＲＣ再設定手順のフローの一例を示す図である。なお。ＲＲＣ再設定手順はＲＲＣコネクション再設定手順であっても良い。
【００５５】
ＲＲＣ再設定手順（ＲＲＣ  Ｒｅｃｏｎｆｉｇｕｒａｔｉｏｎ）は、非特許文献１０に記載の、ＮＲにおけるＲＢの確立、変更、及び解放、及びセカンダリセルの、変更、解放等を行う他、ハンドオーバ（同期を伴う再設定）及び測定（Ｍｅｓｕｒｅｍｅｎｔ）等のために用いられる手順である。一方ＲＲＣコネクション再設定手順（ＲＲＣ  Ｃｏｎｎｅｃｔｉｏｎ  Ｒｅｃｏｎｆｉｇｕｒａｔｉｏｎ）非特許文献４に記載の、ＬＴＥにおけるＲＢの確立、変更、及び解放、及びセカンダリセルの、変更、解放等を行う他、ハンドオーバ及び測定（Ｍｅｓｕｒｅｍｅｎｔ）等のために用いられる手順である。またＲＲＣコネクション再設定手順は、ＭＲ−ＤＣにおいて、特にコア網がＥＰＣ１０４で、マスターノードがｅＮＢ１０２である場合のＭＲ−ＤＣである、ＥＮ−ＤＣ（Ｅ−ＵＴＲＡ−ＮＲ
Ｄｕａｌ  Ｃｏｎｎｅｃｔｉｖｉｔｙ）、及びコア網が５ＧＣ１１０で、マスターノードがｅＮＢ１０２である場合のＭＲ−ＤＣである、ＮＧＥＮ−ＤＣ（ＮＧ−ＲＡＮ  Ｅ−ＵＴＲＡ−ＮＲ  Ｄｕａｌ  Ｃｏｎｎｅｃｔｉｖｉｔｙ）においては、また、コア網５ＧＣにと接続する拡張型ｅＮＢ１０２である場合には、ＲＲＣコネクション再設定手順は、ＬＴＥだけでなく、非特許文献１０に記載の、ＮＲにおけるＲＢの確立、変更、及び解放、及びセカンダリセルの、変更、解放等の一部を行う他、ハンドオーバ及び測定（Ｍｅｓｕｒｅｍｅｎｔ）等の一部を行うためにも用いられる。本発明の各実施の形態では、説明が煩雑になることを避けるために、ＲＲＣ再設定手順という名称を用いて説明し、基地局装置としてｇＮＢ１０８を用いて説明する。
【００５６】
ＲＲＣ再設定手順において、ＵＥ１２２はｇＮＢ１０８よりＲＲＣ再設定メッセージ（ＲＲＣＲｅｃｏｎｆｉｇｒａｔｉｏｎ）を受信し（ステップＳ４００）、ＲＲＣ再設定メッセージに含まれる情報に従って各種設定、例えば無線ベアラの設定や、ＳＤＡＰの設定などの処理を行う（ステップＳ４０２）。ステップＳ１６０２の後、ＵＥ１２２はｇＮＢ１０８に、ＲＲＣ再設定完了メッセージ（ＲＲＣＲｅｃｏｎｆｉｇｒａｔｉｏｎＣｏｍｐｌｅｔｅ）などを送っても良い（不図示）。
【００５７】
図５は本発明の各実施の形態における端末装置（ＵＥ１２２）の構成を示すブロック図である。なお、説明が煩雑になることを避けるために、図５では、本発明と密接に関連する主な構成部のみを示す。
【００５８】
図５に示すＵＥ１２２は、ｇＮＢ１０８よりＲＲＣ再設定メッセージを受信する受信部５００、ＱｏＳフローとＤＲＢとの対応ルールを格納する格納部、及びメッセージの処理を行う処理部５０４から成る。なお、受信部５００は上位レイヤからＳＤＡＰ  ＳＤＵを受信しても良い。また格納部５０２はＱｏＳフローとＤＲＢとの対応ルール以外の情報を格納しても良い。
【００５９】
図６を用いて、本発明の実施の形態１におけるＵＥ１２２の処理方法の一例を説明する。
【００６０】
ＵＥ１２２の受信部５００は、上位レイヤからＳＤＡＰ  ＳＤＵ、及びＳＤＡＰ  ＳＤＵが所属するＱｏＳフローの情報を受信する（ステップＳ６００）。ＱｏＳフローの情報とはＱｏＳフロー識別子であっても良い。
【００６１】
ＵＥ１２２の処理部５０４は、上述のＳＤＡＰ  ＳＤＵが所属するＱｏＳフローと無線ベアラとの対応付けルールが格納部５０２に格納されていない場合には、上述のＳＤＡＰ
ＳＤＵをデフォルト無線ベアラに対応付けて、上述のＳＤＡＰ  ＳＤＵが所属するＱｏＳフローと上述のデフォルト無線ベアラとの対応付けを、ＱｏＳフローと無線ベアラとの対応付けルールとして格納部５０２に格納する処理を行う。
【００６２】
図７は本発明の各実施の形態における基地局装置（ｅＮＢ１０２、ｇＮＢ１０８）の構成を示すブロック図である。なお、説明が煩雑になることを避けるために、図７では、本発明と密接に関連する主な構成部のみを示す。
【００６３】
図７に示すｇＮＢ１０８は、ＵＥ１２２へＲＲＣ再設定メッセージを送信する送信部７００、及びメッセージ作成し、送信する事によりＵＥ１２２に処理を行わせる処理部７０２から成る。また上述の処理部７０２は、ＵＥ１２２からエンドマーカー制御ＰＤＵを受信し、上述のエンドマーカー制御ＰＤＵに含まれるＱｏＳフロー情報を確認する事により、上述のＱｏＳフローに対応する無線ベアラの変更がＵＥ１２２で完了した事を検出する処理を行ってもよい。なお、図７に示す構成は、ｅＮＢ１０２に適応されても良い。ｅＮＢ１０２に適応される場合、送信部７００よりＵＥ１２２へ送信されるメッセージはＲＲＣコネクション再設定メッセージであっても良い。
【００６４】
図８は本発明の各実施の形態において、図４におけるＲＲＣ再設定メッセージに含まれる情報を表すＡＳＮ．１（Ａｂｓｔｒａｃｔ  Ｓｙｎｔａｘ  Ｎｏｔａｔｉｏｎ  Ｏｎｅ）記述の一例である。３ＧＰＰにおいて、ＲＲＣに係る仕様書（非特許文献４、非特許文献１０）は、ＲＲＣに係るメッセージ、及び情報（Ｉｎｆｏｒｍａｔｉｏｎ  Ｅｌｅｍｅｎｔ：ＩＥ）等をＡＳＮ．１を用いて記述する。図８のＡＳＮ．１の例で、＜略＞及び＜中略＞とは、ＡＳＮ．１の表記の一部ではなく、他の情報を省略している事を示す。なお＜略＞又は＜中略＞という記載の無い所でも、情報が省略されていても良い。なお図８におけるＡＳＮ．１の例はＡＳＮ．１表記方法に正しく従ったものではなく、本発明におけるＲＲＣ再設定のパラメータの一例を表記したものであり、他の名称や他の表記が使われても良い。また図８におけるＡＳＮ．１の例は、説明が煩雑になることを避けるために、本発明と密接に関連する主な情報に関する例のみを示す。
【００６５】
図８においてＤＲＢ−ＴｏＡｄｄＭｏｄＬｉｓｔで表される情報は、ＤＲＢＴｏＡｄｄＭｏｄで表される、追加又は変更するＤＲＢ（データ無線ベアラ）の設定を示す情報のリストであっても良い。ＤＲＢ−ＴｏＡｄｄＭｏｄ（追加又は変更するＤＲＢの設定を示す情報）の中の、ｃｎＡｓｓｏｃｉａｔｉｏｎで表される情報は、ＤＲＢが、ＥＰＣ１０４において使用される、ＥＰＳベアラ識別子を示す情報（ｅｐｓ−ＢｅａｒｅｒＩｄｅｎｔｉｔｙ）に関連付けられるか、ＳＤＡＰ設定を示す情報（ｓｄａｐ−Ｃｏｎｆｉｇ）に関連付けられるかを示す情報であっても良い。ｃｎＡｓｓｏｃｉａｔｉｏｎで表される情報は、コア網にＥＰＣ１０４を用いるか、又は５ＧＣ１１０を用いるかを示す情報であっても良い。ＵＥ１２２がＥＰＣと接続する際にはＤＲＢが、ｃｎＡｓｓｏｃｉａｔｉｏｎ中のＥＰＳベアラ識別子を示す情報（ｅｐｓ−ＢｅａｒｅｒＩｄｅｎｔｉｔｙ）に関連付けられ、ＵＥ１２２が５ＧＣ１１０と接続する際には、ＤＲＢが、ＳＤＡＰ設定を示す情報（ｓｄａｐ−Ｃｏｎｆｉｇ）に関連付けられるようにしてもよい。すなわち、ｃｎＡｓｓｏｃｉａｔｉｏｎで表される情報には、コア網にＥＰＣ１０４を用いる場合にはＥＰＳベアラ識別子を示す情報（ｅｐｓ−ＢｅａｒｅｒＩｄｅｎｔｉｔｙ）を含み、コア網５ＧＣ１１０を用いる場合はＳＤＡＰ設定を示す情報（ｓｄａｐ−Ｃｏｎｆｉｇ）を含んでも良い。ＳＤＡＰ設定を示す情報は、ＳＤＡＰ３１０の確立や変更を行うための、ＳＤＡＰエンティティの設定に関する情報であっても良い。ＳＤＡＰ設定を示す情報に含まれる、ｍａｐｐｅｄＱｏＳ−ＦｌｏｗｓＴｏＡｄｄで示される情報は、追加又は変更するＤＲＢに関連（ｍａｐ）させる、又は追加で関連させるＱｏＳフローのＱｏＳフロー識別子（ＱＦＩ：ＱｏＳ  Ｆｌｏｗ  Ｉｄｅｎｔｉｔｙ）のリストを示す情報であっても良い。また、ＳＤＡＰ設定を示す情報に含まれる、ｍａｐｐｅｄＱｏＳ−ＦｌｏｗｓＴｏＲｅｌｅａｓ
ｅで示される情報は、追加又は変更するＤＲＢに現在関連（ｍａｐ）しているＱｏＳフローから、関連状態を解放するＱｏＳフローのＱｏＳフロー識別子（ＱＦＩ：ＱｏＳ  Ｆｌｏｗ  Ｉｄｅｎｔｉｔｙ）のリストを示す情報であっても良い。またこの他にＰＤＵセッション識別子を示す情報や、アップリンク用ヘッダが存在する事を示す情報、ダウンリンク用ヘッダが存在する事を示す情報、デフォルト無線ベアラ（デフォルトＤＲＢ）である事を示す情報などが含まれても良い。また追加又は変更するＤＲＢの設定を示す情報の中の、ＤＲＢ−Ｉｄｅｎｔｉｔｙで表される情報は、追加又は変更するＤＲＢのＤＲＢ識別子の情報である。図８の例では１から３２の整数値としているが、別の値を取っても良い。ＤＣの場合、ＤＲＢ識別子は、ＵＥ１２２のスコープ内で固有である。また追加又は変更するＤＲＢの設定を示す情報の中の、ｐｄｃｐ−Ｃｏｎｆｉｇで表される情報はＳＲＢ又はＤＲＢ用のＰＤＣＰ３０６の確立や変更を行うための、ＮＲ  ＰＤＣＰエンティティの設定に関する情報であっても良い。ＮＲ  ＰＤＣＰエンティティの設定に関する情報には、アップリンク用シーケンス番号のサイズを示す情報、ダウンリンク用シーケンス番号のサイズを示す情報、ヘッダ圧縮（ＲｏＨＣ：ＲＯｂｕｓｔ  Ｈｅａｄｅｒ  Ｃｏｍｐｒｅｓｓｉｏｎ）のプロファイルを示す情報、リオーダリング（ｒｅ−ｏｒｄｅｒｉｎｇ）タイマー情報などが含まれても良い。またＤＲＢ−ＴｏＲｅｌｅａｓｅＬｉｓｔで表される情報は、解放するＤＲＢのＤＲＢ識別子のリスト情報であっても良い。
【００６６】
また図８に示す一部、又は全ての情報は、オプショナルであっても良い。即ち図８に示す情報は必要に応じてＲＲＣ再設定メッセージに含まれても良い。
【００６７】
図９を用いて、本発明の実施の形態１におけるＵＥ１２２の処理方法の別の一例を説明する。
【００６８】
ｇＮＢ１０８の処理部７０２はＲＲＣ再設定メッセージを作成し、送信部７００よりＵＥ１２２へと送信する（不図示）。ＵＥ１２２の受信部５００は、ｇＮＢ１０８からＲＲＣ再設定メッセージを受信する。ＵＥ１２２の処理部５０４は、受信した上述のＲＲＣ再設定メッセージに、第一の無線ベアラに対する無線ベアラ設定、及び上述の第一の無線ベアラに対応付けるＱｏＳフローのＱｏＳフロー識別子が含まれる事を確認する（ステップＳ９００）。
【００６９】
次にＵＥ１２２の処理部５０４は、上述のＲＲＣ再設定メッセージに含まれるＱｏＳフローのＱｏＳ識別子が、上述の第一の無線ベアラとは異なる第二の無線ベアラに対応付けされているか否かを確認する。即ち、上述のＱｏＳフローと、上述の第二の無線ベアラとの対応付けルールが、ＱｏＳフローと無線ベアラとの対応付けルールとして、格納部５０２に格納されているか否かを確認する（ステップＳ９０２）。
【００７０】
上述のＱｏＳフローと、上述の第二の無線ベアラとの対応付けルールが、ＱｏＳフローと無線ベアラとの対応付けルールとして、格納部５０２に格納されている場合には、ＵＥ１２２の処理部５０４は更に、上述の第二の無線ベアラにＳＤＡＰヘッダが設定されているか否かを確認し、ＳＤＡＰヘッダが設定されている場合には、エンドマーカー（Ｅｎｄ
Ｍａｒｋｅｒ）制御ＰＤＵを生成し、上述のエンドマーカー制御ＰＤＵを上述の第二の無線ベアラに対応付け、上述のエンドマーカー制御ＰＤＵを下位レイヤへと提出する。更にＵＥ１２２の処理部５０４は、上述のＱｏＳフローと上述の第一の無線ベアラとの対応付けルールを、ＱｏＳフローと無線ベアラとの対応付けルールとして、格納部５０２に格納する（ステップＳ９０４）。
【００７１】
ＵＥ１２２の処理部５０４は更に、上述の第二の無線ベアラがデフォルト無線ベアラであるか否かを確認し、デフォルト無線ベアラである場合には、上述のＱｏＳフローと上述の第二の無線ベアラとの対応付けルールを、格納部５０２から消去する（ステップＳ９０
６）。
【００７２】
このように、本発明の実施の形態１では、デフォルト無線ベアラにＱｏＳフローと無線ベアラとの対応付けルールを適宜作成、消去する事により、ＱｏＳフローと無線ベアラの再対応付けを検出する事ができる。即ち、端末装置は、プロトコル処理の複雑さを軽減し、効率的に通信を行うことができる。
【００７３】
（実施の形態２）
図４、図５、図７、図８、図１０を用いて、本発明の実施の形態２を説明する。
【００７４】
図１０は、本発明の実施の形態２におけるＵＥ１２２の処理方法の一例である。
【００７５】
ｇＮＢ１０８の処理部７０２はＲＲＣ再設定メッセージを作成し、送信部７００よりＵＥ１２２へと送信する（不図示）。ＵＥ１２２の受信部５００は、ｇＮＢ１０８からＲＲＣ再設定メッセージを受信する。ＵＥ１２２の処理部５０４は、受信した上述のＲＲＣ再設定メッセージに、第一の無線ベアラに対する無線ベアラ設定、及び上述の第一の無線ベアラに対応付けるＱｏＳフローのＱｏＳフロー識別子が含まれる事を確認する（ステップＳ１０００）。
【００７６】
次にＵＥ１２２の処理部５０４は、上述のＲＲＣ再設定メッセージに含まれる上述のＱｏＳフローと上述の第一無線ベアラとの対応付けルール、又は上述のＱｏＳフローと上述の第一無線ベアラとは異なる第二の無線ベアラとの対応付けルールが、格納部５０２に存在するか否かを確認する。即ち、上述のＱｏＳフローに対するＱｏＳフローと無線ベアラとの対応付けルールが存在するか否かを確認する。存在しない場合で、デフォルト無線ベアラが設定又は確立されている場合には、上述のＱｏＳフローが上述のデフォルト無線ベアラに割り当てられているか否か、又は割り当てられていたか否かを確認する（ステップＳ１００２）。
【００７７】
上述のＱｏＳフローが上述のデフォルト無線ベアラに割り当てられている、又は割り当てられていたと判断した場合には、エンドマーカー制御ＰＤＵを生成し、上述のデフォルト無線ベアラに上述のエンドマーカー制御ＰＤＵを対応付け、上述のエンドマーカー制御ＰＤＵを下位レイヤに提出する。上述のＱｏＳフローが上述のデフォルト無線ベアラに割り当てられていないと判断した場合には、エンドマーカー制御ＰＤＵの生成、デフォルト無線ベアラへの割り当て、下位レイヤへの提出は行わない（ステップＳ１００４）。
【００７８】
なお、「ＱｏＳフローがデフォルト無線ベアラに割り当てられている」、「ＱｏＳフローがデフォルト無線ベアラに割り当てられていた」は、それぞれ「ＱｏＳフローがデフォルト無線ベアラに対応付けられている」、「ＱｏＳフローがデフォルト無線ベアラに対応付けられていた」と言い換えられても良い。この場合、ＱｏＳフローとデフォルト無線ベアラとが対応付けられてはいるが、ＱｏＳフローとデフォルト無線ベアラとの対応付けルールは、格納部５０２に存在しない事を意味する。
【００７９】
また、上述のＱｏＳフローがデフォルト無線ベアラに割り当てられている事、又は上述のＱｏＳフローがデフォルト無線ベアラに割り当てられていた事は、格納部５０２に格納されていても良い。この場合、上述のエンドマーカー制御ＰＤＵがデフォルト無線ベアラに対応づけられ、下位レイヤに提出された後、上述のＱｏＳフローがデフォルト無線ベアラに割り当てられている事、又は上述のＱｏＳフローがデフォルト無線ベアラに割り当てられていた事は、格納部５０２から消去されても良い。
【００８０】
このように、本発明の実施の形態２では、デフォルト無線ベアラにＱｏＳフローが割り
当てられている、または割り当てられていたかを確認する事より、ＱｏＳフローと無線ベアラの再対応付けを検出する事ができる。即ち、端末装置は、プロトコル処理の複雑さを軽減し、効率的に通信を行うことができる。
【００８１】
なお、本発明の各実施の形態における無線ベアラ設定は、ＲＲＣコネクション再設定手順だけでなく、ＲＲＣ確立（ＲＲＣ  Ｅｓｔａｂｌｉｓｈｍｅｎｔ）手順や、ＲＲＣ再確立（ＲＲＣ  Ｒｅ−Ｅｓｔａｂｌｉｓｈｍｅｎｔ）手順に含まれていても良い。また本発明の各実施の形態における無線ベアラとは、ＤＲＢであっても良いし、ＳＲＢであっても良い。
【００８２】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュ−タを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【００８３】
なお、上述した実施形態における装置の一部、をコンピュ−タで実現するようにしてもよい。その場合、この制御機能を実現するためのプログラムをコンピュ−タが読み取り可能な記録媒体に記録して、この記録媒体に記録されたプログラムをコンピュ−タシステムに読み込ませ、実行することによって実現してもよい。ここでいう「コンピュ−タシステム」とは、装置に内蔵されたコンピュ−タシステムであって、オペレ−ティングシステムや周辺機器等のハ−ドウェアを含むものとする。また、「コンピュ−タが読み取り可能な記録媒体」とは、半導体記録媒体、光記録媒体、磁気記録媒体等のいずれであってもよい。
【００８４】
さらに「コンピュ−タが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュ−タシステム内部の揮発性メモリのように、一定時間プログラムを保持しているものも含んでもよい。また上記プログラムは、前述した機能の一部を実現するためのものであってもよく、さらに前述した機能をコンピュ−タシステムにすでに記録されているプログラムとの組み合わせで実現できるものであってもよい。
【００８５】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、代わりにプロセッサは従来型のプロセッサ、コントロ−ラ、マイクロコントロ−ラ、またはステ−トマシンであってもよい。汎用用途プロセッサ、または前述した各回路は、デジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【００８６】
なお、本願発明は上述の実施形態に限定されるものではない。実施形態では、装置の一例を記載したが、本願発明は、これに限定されるものではなく、屋内外に設置される据え
置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【００８７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【符号の説明】
【００８８】
１００  Ｅ−ＵＴＲＡ
１０２  ｅＮＢ
１０４  ＥＰＣ
１０６  ＮＲ
１０８  ｇＮＢ
１１０  ５ＧＣ
１１２、１１４、１１６，１１８、１２０、１２４  インタフェース
１２２  ＵＥ
２００、３００  ＰＨＹ
２０２、３０２  ＭＡＣ
２０４、３０４  ＲＬＣ
２０６、３０６  ＰＤＣＰ
２０８、３０８  ＲＲＣ
３１０  ＳＤＡＰ
５００  受信部
５０２  格納部
５０４、７０２  処理部
７００  送信部
【図１】
2019220849.tif 000003
【図２】
2019220849.tif 000004
【図３】
2019220849.tif 000005
【図４】
2019220849.tif 000006
【図５】
2019220849.tif 000007
【図６】
2019220849.tif 000008
【図７】
2019220849.tif 000009
【図８】
2019220849.tif 000010
【図９】
2019220849.tif 000011
【図１０】
2019220849.tif 000012